(57)【特許請求の範囲】
【請求項１】
設置台に固定的に設置される固定体(A)の前側に、開閉体(B)を開閉可能に連結するための縦型遊技機の開閉連結装置(C1,C2)であって、
前記開閉連結装置(C1,C2)は、
前記固定体(A)の一側端の所要位置に配設され、該固定体(A)の横方向へ延在する所要長のガイド溝(28)を設けた第１支持部材(20)と、
前記開閉体(B)の一側端の所要位置に配設され、前記第１支持部材(20)のガイド溝(28)に沿って移動可能に係合する第１支軸(45)を設けた第２支持部材(21)と、
前記第１支持部材(20)の所要位置に第２支軸(46)を介して一方の端部が枢支されると共に、前記第２支持部材(21)の所要位置に第３支軸(47)を介して他方の端部が枢支されるアーム部材(22)とからなり、
前記第２支持部材(21)は、前記第２支軸(46)を中心とした前記アーム部材(22)の回動変位に基づく前記第３支軸(47)の円弧移動、および前記第１支軸(45)のガイド溝(28)に沿う移動により、前記第１支持部材(20)に対して横方向へスライド変位しながら回動変位し、
前記開閉体(B)の開放時には、前述した第２支持部材(21)の姿勢変位に基づき、該開閉体(B)全体が前記固定体(A)の前面中央方向へ移動しつつ開放するよう構成した
ことを特徴とする縦型遊技機の開閉連結装置。
【請求項２】
前記第２支持部材(21)は、前記ガイド溝(28)に係合した前記第１支軸(45)および単一の前記アーム部材(22)により、前記第１支持部材(20)に連繋されている請求項１記載の縦型遊技機の開閉連結装置。
【請求項３】
前記固定体(A)に対する前記開閉体(B)の最大開放角度(R)は、前記アーム部材(22)の長さおよび前記ガイド溝(28)の長さにより決定されると共に規制され、少なくとも前記固定体(A)に対して９０度以上に設定されている請求項１または２記載の縦型遊技機の開閉連結装置。
【請求項４】
前記固定体(A)および開閉体(B)の一側縁における上部同士が第１の開閉連結装置(C1)で連結され、また固定体(A)および開閉体(B)の一側縁における下部同士が第２の開閉連結装置(C2)で連結されている請求項１〜３の何れかに記載の縦型遊技機の開閉連結装置。
【発明の詳細な説明】
【０００１】
【発明の属する技術分野】
この発明は、縦型遊技機の開閉連結装置に関し、更に詳細には、遊技ホールの設置台に縦向きの設置姿勢で遊技に供される縦型遊技機において、設置台に固定的に設置される固定体の前側に、開閉体を開閉可能に連結するための開閉連結装置に関するものである。
【０００２】
【従来の技術】
例えば、パチンコ機やアレンジボール機等に代表されるこの種の縦型遊技機では、遊技ホールの設置台に固定的に設置される固定体としての外枠の開口前面側に、各種の必要な遊技構成部材を搭載した開閉体としての前枠が、両枠側縁の上,下部に配設された開閉連結装置を利用して開閉(横開き)可能に組付けられて、１台単位で構成されている。前記開閉連結装置については、従来から最も一般化されている形式として軸および孔を含む嵌挿連結タイプがあり、例えば前記外枠の一側端に回動支軸を設けると共に、前記前枠の一側端に軸孔を設け、前記回動支軸を前記軸孔へ嵌挿させることにより、外枠に対して前枠を開閉可能に連結支持するようになっている。
【０００３】
しかしながら前述した開閉連結装置では、常には前枠の開閉中心が固定されているため、前枠を外枠から開放するに際して、該前枠に搭載した遊技構成部材が隣接する遊技機や台間サンド等に干渉することがあった。このため、前枠の充分な開放角度(例えば９０度以上)を確保できなかったり、または不用意に勢いよく開放させて前記遊技構成部材を破損させてしまう等の問題が発生していた。
【０００４】
そこで前述した問題を解消するため、前記外枠と前記前枠とを、複数のアーム部材を連繋して構成したリンク機構で連結支持し、これらアーム部材のリンク運動を利用して前枠の回動中心を移動させるようにした開閉連結装置も提案されている。このようなリンク機構からなる開閉連結装置によれば、前枠を外枠から開放させるに際し、該前枠を外枠の前方側や中央側へ偏倚させることが可能となるから、隣接する遊技機や台間サンド等と該前枠との干渉が好適に回避されると共に、充分な開放角度を確保し得るようになる。
【０００５】
【発明が解決しようとする課題】
しかしながら、リンク機構からなる従来の開閉連結装置は、複数のアーム部材から構成されているため、部品点数の増加に伴うコストアップを招来する問題を内在していた。しかも、構造が複雑であるから組立て作業に手間や時間がかかり、これもコストアップを招来する原因となっている。更には、構造が複雑であるから故障が発生し易いと共にスムーズに動かなくなることもあり、前枠の確実かつ円滑な開放変位を保証し得ない欠点も指摘される。
【０００６】
【発明の目的】
本発明は、前述した課題を好適に解決するべく提案されたもので、構成部品点数を最小限として簡単な構成とすることで、製造コストの低減、組立作業の容易化および合理化、固定体に対する開閉体の円滑な開放の保証等を図った縦型遊技機の開閉連結装置を提供することを目的とする。
【０００７】
【課題を解決するための手段】
前述した課題を克服し、所期の目的を好適に達成するため本発明は、設置台に固定的に設置される固定体の前側に、開閉体を開閉可能に連結するための縦型遊技機の開閉連結装置であって、
前記開閉連結装置は、
前記固定体の一側端の所要位置に配設され、該固定体の横方向へ延在する所要長のガイド溝を設けた第１支持部材と、
前記開閉体の一側端の所要位置に配設され、前記第１支持部材のガイド溝に沿って移動可能に係合する第１支軸を設けた第２支持部材と、
前記第１支持部材の所要位置に第２支軸を介して一方の端部が枢支されると共に、前記第２支持部材の所要位置に第３支軸を介して他方の端部が枢支されるアーム部材とからなり、
前記第２支持部材は、前記第２支軸を中心とした前記アーム部材の回動変位に基づく前記第３支軸の円弧移動、および前記第１支軸のガイド溝に沿う移動により、前記第１支持部材に対して横方向へスライド変位しながら回動変位し、
前記開閉体の開放時には、前述した第２支持部材の姿勢変位に基づき、該開閉体全体が前記固定体の前面中央方向へ移動しつつ開放するよう構成したことを特徴とする。
【０００８】
【作用】
開閉体を固定体の前側に連結するための開閉連結装置は、固定体側に配設される第１支持部材と、開閉体側に配設される第２支持部材と、第２支軸および第３支軸によりこれら第１支持部材および第２支持部材に回動可能に端部連結されるアーム部材とから構成される。第２支持部材は、第１支持部材に形成されたガイド溝に係合されて移動可能な第１支軸および前記アーム部材により、前記第１支持部材に連繋されている。すなわち第２支持部材は、前記第２支軸を中心とした前記アーム部材の回動変位に基づく前記第３支軸の円弧移動と、前記第１支軸のガイド溝に沿う移動とにより、前記第１支持部材に対して横方向へスライド変位しながら回動変位する。従って開閉体の開放時には、前述した第２支持部材の姿勢変位に基づき、当該開閉体全体が前記固定体の前面中央方向へ移動しつつ開放するようになり、側方に配設された遊技機や台間サンド等に開閉体が干渉しない。
【０００９】
【発明の実施の形態】
次に、本発明に係る縦型遊技機の開閉連結装置につき、好適な実施例を挙げて添付図面を参照しながら、以下詳細に説明する。なお本発明は、遊技ホールの設置台に固定的に設置される固定体と、この固定体の前側に開閉可能に配設される開閉体を有する各種の縦型遊技機、例えばパチンコ機やアレンジボール機、およびパチンコ式スロットマシンやメダル式スロットマシン等を対象とする。そこで実施例では、縦型遊技機Ｐとして、設置台に固定的に設置されて外郭用固定保持枠をなす固定体としての外枠Ａと、各種構成部材(ガラス扉、上球皿および下球皿、打球発射装置、遊技盤等)を固定設置するための搭載用開閉枠をなす開閉体としての前枠Ｂとを有し、外枠Ａの前側に前枠Ｂが開閉可能に配設されるパチンコ機を例示しながら説明する。
【００１０】
縦型遊技機Ｐにおける固定体としての外枠Ａは、図１および図２に示すように、上,下および左,右の４本の枠部材１０,１３,１１,１２を枠組み連結して縦長方形に構成され、全ての枠部材１０,１１,１２,１３に亘る開口前面域に、前枠Ｂを整合し得るようになっている。一例として外枠Ａは、木材から形成された上枠部材１０および左枠部材１１を共通用として、樹脂材から成形された右枠部材１２および下枠部材１３を２通りのサイズのものを選択的に連結することにより、一般に「関東枠、関西枠」と呼称区分されているサイズの異なる２種類の何れにも対応し得るようになっている。そして、外枠Ａの左上方の外側隅角部には、後述する第１の開閉連結装置Ｃ１の第１支持部材２０を配設するための第１設置部１４が設けられていると共に、該外枠Ａの左下方の内側隅角部には、後述する第２の開閉連結装置Ｃ２の第１支持部材２０を配設するための第２設置部１５が設けられている。なお、メダル式スロットマシンにおける固定体は、具体的な図示は省略するが、制御基板、図柄可変表示装置、パチンコ球やメダル等の遊技媒体の貯留払出装置等を収容設置して、遊技ホールの設置台に固定的に設置される箱状の筐体とされる。また、パチンコ式スロットマシンにおける固定体は、前記パチンコ機における枠状の外枠Ａのような形態や、前記メダル式スロットマシンにおける箱状の筐体のような形態等とされる。
【００１１】
一方、縦型遊技機Ｐにおける開閉体としての前枠Ｂは、前記外枠Ａの開口前面域に整合するサイズに設定されており、その前面側には図示しないガラス扉、上球皿および下球皿、打球発射装置、遊技盤等の各種構成部材が設置固定される。但し、この前枠の具体的構成および前記各種構成部材等は本願発明の要旨ではなく、また説明の便宜化および理解の容易化を図るため、該前枠は単純形状の板状部材として図示する一方、各種構成部材の図示は省略する。そして、前枠Ｂの左上方の外側隅角部には、後述する第１の開閉連結装置Ｃ１の第２支持部材２１を配設するための第１設置部１６が設けられていると共に、該前枠Ｂの左下方の外側隅角部には、後述する第２の開閉連結装置Ｃ２の第２支持部材２１を配設するための第２設置部１７が設けられている。なお、メダル式スロットマシンにおける開閉体は、具体的な図示は省略するが、図柄透視表示部、スタートボタン、ストップボタン等を設けて、前記筐体の前側に開閉可能に設置される扉状の前側化粧体とされる。また、パチンコ式スロットマシンにおける開閉体は、前記パチンコ機における前枠Ｂのような形態や、前記メダル式スロットマシンにおける扉状の前側化粧体のような形態等とされる。
【００１２】
本実施例の縦型遊技機Ｐでは、図１および図２に示すように、前記外枠Ａの開口前面域に対して前記前枠Ｂを開閉可能に連結支持するために、両枠Ａ,Ｂの夫々の左側縁における上部同士を連結支持する第１の開閉連結装置Ｃ１と、両枠Ａ,Ｂの夫々の左側縁における下部同士を連結支持する第２の開閉連結装置Ｃ２とを有している。これら第１の開閉連結装置Ｃ１および第２の開閉連結装置Ｃ２は、図３および図５に示すように基本的には同一形態とされており、前記外枠Ａの左側端の所要位置に配設される第１支持部材２０と、前記前枠Ｂの左側端の所要位置に配設される第２支持部材２１と、これら第１支持部材２０および第２支持部材２１の所要位置に回動可能に端部接続されるアーム部材２２とから構成されている。
【００１３】
第１の開閉連結装置Ｃ１における前記第１支持部材２０は、例えば板状金属片を屈曲成形した一体成形部材であって、前記外枠Ａにおける左上方の外側隅角部において左枠部材１１の上端側から上枠部材１０の左端側へ凹設された前記第１設置部１４に整合する正面Ｌ形を呈し、左枠部材１１に密着する垂直板部２３と上枠部材１０に密着する水平板部２４とが略直角に連設されている。これら垂直板部２３および水平板部２４の適宜位置には複数個のネジ用通孔２５が穿設されており、これらネジ用通孔２５に挿通したネジ２６を前記外枠Ａへねじ込むことにより、第１支持部材２０が前記第１設置部１４に強固に固定される。また前記水平板部２４の前端には、該水平板部２４の前方へ略水平に延出する第１庇部２７が一体的に連設され、この第１庇部２７には、横方向へ延在する所要長のガイド溝２８が形成されている。更に前記水平板部２４の右端前側には、該水平板部２４の右側方へ略水平に延出する第２庇部２９が一体的に連設され、この第２庇部２９には、前記アーム部材２２を回動可能に枢支する第２支軸４６を固定するための支持孔３０が穿設されている。
【００１４】
また、第１の開閉連結装置Ｃ１における前記第２支持部材２１は、図３に示すように、例えば板状金属片を屈曲成形した一体成形部材であって、前記前枠Ｂにおける上端左部に凹設された前記第１設置部１６に整合する側面Ｌ形を呈し、該前枠Ｂの前面に密着する垂直板部３１と該前枠Ｂの上端面に密着する水平板部３２とが略直角に連設されている。前記垂直板部３１の適宜位置には複数個のネジ用通孔３３が穿設されており、これらネジ用通孔３３に挿通したネジ３４を前枠Ｂへねじ込むことにより、第２支持部材２１が前記第１設置部１６に強固に固定される。そして前記水平板部３２の左端には、該水平板部３２の左側方へ略水平に延出する第３庇部３５が一体的に連設され、この第３庇部３５の上面には、垂直上方に立設して前記ガイド溝２８に係合可能な支持ピン(第１支軸)４５が、例えばカシメ付け等により固定されている。また前記水平板部３２の略中央には、前記アーム部材２２を回動可能に枢支する第３支軸４７を固定するための支持孔３６が穿設されている。なお、前記水平板部３２と垂直板部３１との連設部における中央には、前記アーム部材２２の先端部の干渉を回避するための開口部３７が形成されている。
【００１５】
また、第１の開閉連結装置Ｃ１における前記アーム部材２２は、長手方向の途中で屈曲した平面「ヘ字形」の板状金属片であって、前記第１支持部材２０の側の長片部４０と前記第２支持部材２１の側の短片部４１とが、例えば４５度の角度で連設されている。前記長片部４０の先端部には、前記第２支軸４６が嵌挿する第１支持孔４２が穿設されており、該第１支持孔４２に嵌挿した第２支軸４６を第１支持部材２０の前記支持孔３０に固定することにより、当該アーム部材２２が該第１支持部材２０に対して回動可能に連結される。また前記短片部４１の先端部には、前記第３支軸４７が嵌挿する第２支持孔４３が穿設されており、該第２支持孔４３に嵌挿した第３支軸４７を第２支持部材２１の前記支持孔３６に固定することにより、該第２支持部材２１が当該アーム部材２２に対して回動可能に連結される。
【００１６】
このように構成された第１の開閉連結装置Ｃ１では、第１支持部材２０に回動可能に支持された前記アーム部材２２と、前記ガイド溝２８にスライド可能に係合した前記支持ピン４５とにより、第２支持部材２１が該第１支持部材２０に連繋されている。従って前記第２支持部材２１は、前記第２支軸４６を中心とした前記アーム部材２２の回動変位に基づく前記第３支軸４７の円弧移動と、前記支持ピン４５のガイド溝２８に沿う直線移動とのリンク運動により、前記第１支持部材２０に対して横方向へスライド変位しながら回動変位するようになる。
【００１７】
例えば、第２支持部材２１を第１支持部材２０の下方へ押し込んだ際(前枠Ｂを外枠Ａに閉成した際)には、図４(ａ)に示すように、前記支持ピン４５が前記ガイド溝２８に沿って左方向へ移動して左端部に到来すると共に、前記第３支軸４７が前記第１庇部２７の下方へ移動することにより、第２支持部材２１は第１支持部材２０の前端部に沿って左右横方向へ姿勢制御される。すなわち、第２支持部材２１の左端部(第３庇部３５の左端部)が、第１支持部材２０の左端部(前記垂直板部２３)に一致するようになる。
【００１８】
一方、第２支持部材２１を第１支持部材２０の下方から手前側へ引き出す際(前枠Ｂを外枠Ａから開放する際)には、図４(ｂ)に示すように、前記支持ピン４５が前記ガイド溝２８に沿って右方向へ移動して右端部に到来すると共に、前記アーム部材２２の回動変位に伴って前記第３支軸４７が前記第２支軸４６を中心として前方へ円弧移動することにより、第２支持部材２１は第１支持部材２０の略中央位置で前後方向へ延在するよう姿勢制御される。すなわち、第２支持部材２１の左端部(第３庇部３５の左端部)は、該第２支持部材２１が回動変位するに従って第１支持部材２０の略中央までスライド移動するようになる。
【００１９】
第２の開閉連結装置Ｃ２における前記第１支持部材２０は、図５に示すように、例えば板状金属片を屈曲成形した一体成形部材であって、前記外枠Ａにおける左下方の内側隅角部において下枠部材１３の左端側から左枠部材１１の下端側へ延在する前記第２設置部１５に整合する正面Ｌ形を呈し、下枠部材１３の上端縁に密着する水平板部２４と、左枠部材１１の内側に密着する第１垂直板部２３ａと、前記下枠部材１３の背面に密着する第２垂直板部２３ｂとが、夫々直角に連設されている。これら第１垂直板部２３ａおよび第２垂直板部２３ｂの適宜位置には複数個のネジ用通孔２５が穿設されており、これらネジ用通孔２５に挿通したネジ２６を前記外枠Ａへねじ込むことにより、前記第２設置部１５に強固に固定される。また前記水平板部２４の前端には、該水平板部２４の前方へ略水平に延出する第１庇部２７が一体的に連設され、この第１庇部２７には、横方向へ延在する所要長のガイド溝２８が形成されている。更に前記水平板部２４の右端には、該水平板部２４の右側方へ略水平に延出する第２庇部２９が一体的に連設され、この第２庇部２９には、前記アーム部材２２を回動可能に枢支する第２支軸４６を固定するための支持孔３０が穿設されている。
【００２０】
また、第２の開閉連結装置Ｃ２における前記第２支持部材２１は、例えば板状金属片を屈曲成形した一体成形部材であって、前記前枠Ｂにおける下端左部に凹設された前記第２設置部１７に整合する側面Ｌ形を呈し、該前枠Ｂの前面に密着する垂直板部３１と該前枠Ｂの下端面に密着する水平板部３２とが略直角に連設されている。前記垂直板部３１の適宜位置には複数個のネジ用通孔３３が穿設されており、これらネジ用通孔３３に挿通したネジ３４を前記前枠Ｂへねじ込むことにより、第２支持部材２１が前記第２設置部１７に強固に固定される。そして前記水平板部３２の左端には、該水平板部３２の左側方へ略水平に延出する第３庇部３５が一体的に連設され、この第３庇部３５の下面には、垂直下方へ立設して前記ガイド溝２８に係合可能な支持ピン(第１支軸)４５が、例えばカシメ付け等により固定されている。また前記水平板部３２の略中央には、前記アーム部材２２を回動可能に枢支する第３支軸４７を固定するための支持孔３６が穿設されている。なお、前記水平板部３２と垂直板部３１との連設部における中央には、前記アーム部材２２の先端部の干渉を回避するための開口部３７が形成されている。
【００２１】
また、第２の開閉連結装置Ｃ２における前記アーム部材２２は、長手方向の途中で屈曲した平面「ヘ字形」の板状金属片であって、前記第１支持部材２０の側の長片部４０と前記第２支持部材２１の側の短片部４１とが、例えば４５度の角度で連設されている。前記長片部４０の先端部には、前記第２支軸４６が嵌挿する第１支持孔４２が穿設されており、該第１支持孔４２に嵌挿した第２支軸４６を第１支持部材２０の前記支持孔３０に固定することにより、当該アーム部材２２が該第１支持部材２０に対して回動可能に連結される。また前記短片部４１の先端部には、前記第３支軸４７が嵌挿する第２支持孔４３が穿設されており、該第２支持孔４３に嵌挿した第３支軸４７を第２支持部材２１の前記支持孔３６に固定することにより、該第２支持部材２１が当該アーム部材２２に対して回動可能に連結される。
【００２２】
このように構成された第２の開閉連結装置Ｃ２では、第１支持部材２０に回動可能に支持された前記アーム部材２２と、前記ガイド溝２８にスライド可能に係合した前記支持ピン４５とにより、第２支持部材２１が該第１支持部材２０に連繋されている。従って前記第２支持部材２１は、前記第２支軸４６を中心とした前記アーム部材２２の回動変位に基づく前記第３支軸４７の円弧移動と、前記支持ピン４５のガイド溝２８に沿う直線移動とのリンク運動により、前記第１支持部材２０に対して横方向へスライド変位しながら回動変位するようになる。
【００２３】
例えば、第２支持部材２１を第１支持部材２０の下方へ押し込んだ際(前枠Ｂを外枠Ａに閉成した際)には、図６(ａ)に示すように、前記支持ピン４５が前記ガイド溝２８に沿って左方向へ移動して左端部に到来すると共に、前記第３支軸４７が前記第１庇部２７の上方へ移動することにより、第２支持部材２１は第１支持部材２０の前端部に沿って左右横方向へ姿勢制御される。すなわち、第２支持部材２１の左端部(第３庇部３５の左端部)が、第１支持部材２０の左端部(前記第１庇部２７)に一致するようになる。
【００２４】
一方、第２支持部材２１を第１支持部材２０の下方から手前側へ引き出す際(前枠Ｂを外枠Ａから開放する際)には、図６(ｂ)に示すように、前記支持ピン４５が前記ガイド溝２８に沿って右方向へ移動して右端部に到来すると共に、前記アーム部材２２の回動変位に伴って前記第３支軸４７が前記第２支軸４６を中心として前方へ円弧移動することにより、第２支持部材２１は第１支持部材２０の略中央位置で前後方向へ延在するよう姿勢制御される。すなわち、第２支持部材２１の左端部(第３庇部３５の左端部)は、該第２支持部材２１が回動変位するに従って第１支持部材２０の略中央までスライド移動するようになる。
【００２５】
なお、前記第１の開閉連結装置Ｃ１および第２の開閉連結装置Ｃ２では、前記アーム部材２２の長さおよび前記ガイド溝２８の長さにより、第１支持部材２０に対する第２支持部材２１の回動角度および移動量が決定されると共に規制される。例えば、前記ガイド溝２８の全長を更に長く設定しかつアーム部材２２の全長を変更しなければ、第２支持部材２１の左端部のスライド移動量が更に大きくなるから、第２支持部材２１の回動角度を大きく設定し得る。一方、前記ガイド溝２８の全長を変更せずに、アーム部材２２の全長を短く設定すれば、第２支持部材２１の回動角度が小さく設定される。
【００２６】
【実施例の作用】
次に、前述のように構成された本実施例に係る縦型遊技機の開閉連結装置の作用につき説明する。前記第１の開閉連結装置Ｃ１および第２の開閉連結装置Ｃ２では、前記第２支軸４６を第１支持部材２０に固定するだけで、該第１支持部材２０にアーム部材２２を回動可能に連結し得る一方、前記支持ピン４５を前記ガイド溝２８に係合させた状態において、前記第３支軸４７を第２支持部材２１に固定するだけで、該アーム部材２２に第２支持部材２１を回動可能に連結することができ、第１支持部材２０と第２支持部材２１およびアーム部材２２を容易に組立てることができる。なお第２支軸４６は、第１支持部材２０の前記支持孔３０に対してカシメ付けされ、また第３支軸４７は、第２支持部材２１の前記支持孔３６に対してカシメ付けされる。
【００２７】
そして、各開閉連結装置Ｃ１,Ｃ２における前記第１支持部材２０を、外枠Ａの第１設置部１４および第２設置部１５へネジ２６で夫々固定することで、これら第１の開閉連結装置Ｃ１および第２の開閉連結装置Ｃ２が該外枠Ａへ固定される。また、各開閉連結装置Ｃ１,Ｃ２における前記第２支持部材２１を、前枠Ｂの第１設置部１６および第２設置部１７へネジ３４で夫々固定することにより、これら第１の開閉連結装置Ｃ１および第２の開閉連結装置Ｃ２が該前枠Ｂに固定され、これにより該前枠Ｂが外枠Ａの前側に連結支持される。そして実施例の縦型遊技機Ｐは、外枠Ａおよび前枠Ｂの夫々の左側縁における上部同士を連結支持する第１の開閉連結装置Ｃ１と、両枠Ａ,Ｂの夫々の左側縁における下部同士を連結支持する第２の開閉連結装置Ｃ２とにより、前枠Ｂが外枠Ａに開閉可能に連結支持される。
【００２８】
このように実施例の夫々の開閉連結装置Ｃ１,Ｃ２は、第１支持部材２０と第２支持部材２１およびアーム部材２２の３部材のみで構成され、かつ第１支持部材２０と第２支持部材２１が単一のアーム部材２２で連結されたシンプルな構造であるから、組立てが簡単かつ容易で短時間で行なうことができ、組立作業の容易化および合理化を図り得る。また、部品点数が少ないから部品コストが低減される一方、組立作業の合理化により作業コストも低減されるから、遊技機の製造コスト低減が期待できる。
【００２９】
前述のような各開閉連結装置Ｃ１,Ｃ２により外枠Ａに連結支持された前記前枠Ｂは、該外枠Ａの開口前面域に対して閉成した際に、図７(ａ)および図９(ａ)に示すように、第１の開閉連結装置Ｃ１および第２の開閉連結装置Ｃ２における各支持ピン４５が、前記ガイド溝２８に沿って左方向へ移動して該溝２８の左端部に到来すると共に、各第３支軸４７が前記第１庇部２７の下方または上方へ移動することにより、各第２支持部材２１が第１支持部材２０の前端部に沿って左右横方向へ姿勢制御されるから、外枠Ａの各枠部材１０,１１,１２,１３の前端面に対して密着的に整合するようになる。この時、前枠Ｂの左側端部は、外枠Ａの左側端部と整合一致する。
【００３０】
そして前枠Ｂの全閉状態にあって、第１の開閉連結装置Ｃ１における第１支持部材２０の第１庇部２７は、図７(ａ)に示すように、該前枠Ｂの上端縁に近接してその前端縁が前枠Ｂから前方へ突出せず、また第２の開閉連結装置Ｃ２における第１支持部材２０の第１庇部２７は、該前枠Ｂの下端縁に近接してその前端縁が前枠Ｂから前方へ突出しないように設定されている。これにより実施例の縦型遊技機Ｐでは、第１の開閉連結装置Ｃ１および第２の開閉連結装置Ｃ２が外枠Ａおよび前枠Ｂから全く突出しないから、倒伏状態での段積みがし易くなると共に、搬送作業やホールの設置枠台への設置作業を行なう作業員が負傷する原因となることもない。
【００３１】
一方、外枠Ａに閉成されていた前枠Ｂの開放変位の初期段階では、図７(ｂ)および図９(ｂ)に示すように、第１の開閉連結装置Ｃ１および第２の開閉連結装置Ｃ２における各支持ピン４５が前記ガイド溝２８に沿って右方向へ適宜移動すると共に、各第３支軸４７が前記第１庇部２７の下方または上方から前方へ円弧状に移動することにより、各第２支持部材２１が図示右方向へ移動しながら回動するようになるから、これに伴って前枠Ｂも右方向へ移動しながら開放する。従って、外枠Ａの左枠部材１１の前側に位置していた前枠Ｂの左側部分が、該外枠Ａの右方向(外枠Ａの前面中央方向)への移動するから、該左枠部材１１と前枠Ｂとの干渉が好適に回避され、前枠Ｂの開放変位に支障を来すことがない。
【００３２】
そして、前枠Ｂの開放変位の最終段階では、図８および図１０に示すように、第１の開閉連結装置Ｃ１および第２の開閉連結装置Ｃ２における各支持ピン４５が、前記ガイド溝２８に沿って更に右方向へ移動して該溝２８の右端部に到来すると共に、各第３支軸４７が更に前方へ円弧状に移動することにより、各第２支持部材２１が更に図示右方向へ移動しながら回動するから、これに伴って前枠Ｂも右方向へ移動しながら開放する。この時、前枠Ｂの左側部分は、外枠Ａの上枠部材１０の前端面および下枠部材１３の上端面に沿って移動する。そして、各支持ピン４５がガイド溝２８の右端部まで到来すると、前枠Ｂが９０度以上の最大開放状態となり、これ以上の開放変位が規制されるに至る。
【００３３】
なお各開閉連結装置Ｃ１,Ｃ２は、第１支持部材２０と第２支持部材２１とが単一のアーム部材２２で連結されたシンプルな構造であるから、第２支持部材２１の移動および回動による姿勢変位が極めてスムーズになされ、従って外枠Ａに対する前枠Ｂの開閉も円滑になされる。
【００３４】
また実施例では、各開閉連結装置Ｃ１,Ｃ２における各ガイド溝２８の長さおよび各アーム部材２２の長さの設定により、外枠Ａに対する前枠Ｂの最大開放角度Ｒが、９０度以上の概ね１００度程度に設定されている。これにより、前記外枠Ａが遊技ホールの設置枠台に対して適宜の後傾状態で設置されることを前提とすれば、９０度以上に開放している前枠Ｂは更に開放方向へ変位しようとするから、外枠Ａ側の開口前面側へ回動して勝手に閉成してしまう不都合が回避される。
【００３５】
そして前枠Ｂの全開状態においては、図８および図１０から明らかなように、該前枠Ｂの左側部分が外枠Ａの前面中央方向へ移動して前記第１支持部材２０の略中間部分に到来するから、外枠Ａの左側端部と前枠Ｂとの間に間隔Ｈが形成される。これにより、前枠Ｂの前面に各種の構成部材(図示せず)が突出状態に設置固定されていたとしても、これら構成部材が図示しない左側の遊技機や台間サンド等に干渉することがなくなり、前記１００度程度の最大開放角度Ｒが確保されると共に前記構成部材の破損等が回避される。
【００３６】
また実施例の各開閉連結装置Ｃ１,Ｃ２では、第１支持部材２０と第２支持部材２１とを連結する前記アーム部材２２を平面「へ字形」に成形してあることにより、図８および図１０から明らかな如く、前枠Ｂを全開状態に開放した際には、夫々のアーム部材２２における長片部４０が第１支持部材２０(外枠Ａ)と重合し、また短片部４１が第２支持部材２１(前枠Ｂ)と重合するようになり、外枠Ａと前枠Ｂとのコーナー部分へ殆ど露出しない。従って、前枠Ｂを開放させてメンテナンス作業や部品交換作業等を行なうに際し、各アーム部材２２が邪魔になることがない。
【００３７】
一方、前枠Ｂの全開状態においては、図１０から明らかなように、第２開閉連結部材Ｃ２におけるアーム部材２２の前記短片部４１が前枠Ｂの下側へ入り込むようになるから、この短片部４１の上面における略全域で前枠Ｂの重量を受け止めるようになり、該前枠Ｂの好適な支持が可能になると共に、アーム部材２２に部分的な集中荷重が加わる不都合が回避される。更には、アーム部材２２を平面「へ字形」に成形したことにより、全開状態の前枠Ｂを閉成するに際して、該アーム部材２２が突張って閉成を規制してしまうこともない。
【００３８】
なお前記実施例では、ガイド溝２８に係合する支持ピン４５を第３庇部３５に対して固定的に立設したものを例示したが、この支持ピン４５を回動可能なものとすれば、ガイド溝２８に沿って移動する際に転動するようになるから、摩擦抵抗が減少して前枠Ｂの開閉が一段と円滑になる。
【００３９】
そして実施例では、各開閉連結装置Ｃ１,Ｃ２における第１支持部材２０に形成したガイド溝２８に関し、該第１支持部材２０の前側において左右横方向へ直線状に延在するものを例示した。しかしこのガイド溝２８は、前枠Ｂの円滑かつ確実な開閉がなされることを前提とすれば、円弧状や楕円弧状またはスプライン状のものでもよく、またその延在方向も様々に設定し得る。
【００４０】
また前記実施例では、外枠Ａおよび前枠Ｂの左側縁部における上部および下部に夫々開閉連結装置Ｃ１,Ｃ２を配設するようにしたが、外枠Ａに対する前枠Ｂの連結強度および円滑な開放変位が保証される場合は、１つの開閉連結装置だけで前枠Ｂを外枠Ａに連結するようにしてもよい。更には、外枠Ａに対する前枠Ｂの連結強度を更に向上させる必要がある場合は、３つ以上の開閉連結装置を配設するようにしてもよい。
【００４１】
更に、２つ以上の開閉連結装置を配設する場合は、少なくとも１つの開閉連結装置に前記ガイド溝２８および支持ピン４５を設けておけば、前枠Ｂを開放する際の前述のような姿勢制御を好適に行ない得る。
【００４２】
【発明の効果】
以上説明した如く、本発明に係る縦型遊技機の開閉連結装置は、固定体側に配設される第１支持部材と、開閉体側に配設される第２支持部材と、第２支軸および第３支軸によりこれら第１支持部材および第２支持部材に回動可能に端部連結されるアーム部材との３部材のみで構成され、かつ第１支持部材と第２支持部材が単一のアーム部材で連結されたシンプルな構造であるから、組立てが簡単でかつ短時間で行なうことができ、組立作業の容易化および合理化を図り得る利点がある。また、部品点数が少ないから部品コストが低減される一方、組立作業の合理化により作業コストも低減されるから、縦型遊技機の製造コスト低減を図り得る有益な効果を奏する。
そして、前記開閉連結装置を利用して開閉体および固定体の一側縁同士を連結支持したもとで該開閉体を該固定体から開放させる際には、ガイド溝に沿う第１支軸の移動と、アーム部材の回動による第３支軸の円弧移動とにより、第２支持部材がスライド変位しながら回動変位して開閉体の一側縁が固定体の前面中央方向へ移動するようになるから、該開閉体の前面に設置固定された各種構成部材が、当該遊技機の一側縁の側に設置された遊技機や台間サンド等に干渉することがなくなる。従って、開閉体の開放角度が充分に確保されると共に、前記構成部材の破損等が回避される等の効果を奏する。
【図面の簡単な説明】
【図１】本発明の好適実施例に係る開閉連結装置を実施した縦型遊技機を、固定体としての外枠に対して開閉体としての前枠を閉成した状態で示す概略斜視図である。
【図２】実施例の開閉連結装置を実施した縦型遊技機を、外枠から前枠を開放した状態で示す概略斜視図である。
【図３】外枠および前枠における左側縁の上部同士を連結支持する第１の開閉連結装置の分解斜視図である。
【図４】  (ａ)は、外枠に前枠を閉成した際の第１の開閉連結装置の態様を示す斜視図であり、(ｂ)は、外枠から前枠を開放した際の第１の開閉連結装置の態様を示す斜視図である。
【図５】外枠および前枠における左側縁の下部同士を連結支持する第２の開閉連結装置の分解斜視図である。
【図６】  (ａ)は、外枠に前枠を閉成した際の第２の開閉連結装置の態様を示す斜視図であり、(ｂ)は、外枠から前枠を開放した際の第２の開閉連結装置の態様を示す斜視図である。
【図７】  (ａ)は、外枠に前枠を完全に閉成した状態で示す両枠の左側縁上部の平面図であり、(ｂ)は、前枠の開放初期段階で示す両枠の左側縁上部の平面図である。
【図８】外枠から前枠を完全に開放した状態で示す両枠の左側縁上部の平面図である。
【図９】  (ａ)は、外枠に前枠を完全に閉成した状態で示す両枠の左側縁下部の平断面図であり、(ｂ)は、前枠の開放初期段階で示す両枠の左側縁下部の平断面図である。
【図１０】外枠から前枠を完全に開放した状態で示す両枠の左側縁下部の平断面図である。
【符号の説明】
２０  第１支持部材
２１  第２支持部材
２２  アーム部材
２８  ガイド溝
４５  支持ピン(第１支軸)
４６  第２支軸
４７  第３支軸
Ａ  外枠(固定体)
Ｂ  前枠(開閉体)
Ｃ１  第１の開閉連結装置
Ｃ２  第２の開閉連結装置
Ｒ  最大開放角度
【図１】
0004320459.tif 000002
【図２】
0004320459.tif 000003
【図３】
0004320459.tif 000004
【図４】
0004320459.tif 000005
【図５】
0004320459.tif 000006
【図６】
0004320459.tif 000007
【図７】
0004320459.tif 000008
【図８】
0004320459.tif 000009
【図９】
0004320459.tif 000010
【図１０】
0004320459.tif 000011